【手続補正書】
【提出日】平成29年12月8日(2017.12.8)
【手続補正１】
【補正対象書類名】特許請求の範囲
【補正対象項目名】全文
【補正方法】変更
【補正の内容】
【特許請求の範囲】
【請求項１】
遊技媒体を用いた所定の遊技を行う遊技機であって、
遊技媒体が入賞しやすい開放状態と、遊技媒体の入賞が不可能又は困難な閉鎖状態とに変化可能な第１可変入賞手段と、遊技媒体が入賞しやすい開放状態と、遊技媒体の入賞が不可能又は困難な閉鎖状態とに変化可能な第２可変入賞手段とを含む複数の可変入賞手段と、
前記第１可変入賞手段を開放する第１開放条件が成立したことに基づき、前記第１可変入賞手段を開放状態に制御すると共に、前記第２可変入賞手段を開放する第２開放条件が成立したことに基づき、前記第２可変入賞手段を開放状態に制御する開放制御を実行する開放制御手段と、
前記開放制御が実行されている際に、開放状態に制御される可変入賞手段を有効状態に制御すると共に、他の可変入賞手段を無効状態に制御する有効無効制御手段と、
前記第１可変入賞手段に入賞した遊技媒体を検出する第１検出手段と、
前記第２可変入賞手段に入賞した遊技媒体を検出する第２検出手段と、
前記第１検出手段が入賞した遊技媒体を検出した場合に検出したことを示す値に設定される第１入賞有無情報と、前記第２検出手段が入賞した遊技媒体を検出した場合に検出したことを示す値に設定される第２入賞有無情報とを含む入賞有無情報を記憶する入賞有無記憶手段と、
前記第１可変入賞手段について有効状態であるか無効状態であるかを示す値に設定される第１有効無効情報と、前記第２可変入賞手段について有効状態であるか無効状態であるかを示す値に設定される第２有効無効情報とを含む可変入賞有効無効情報を記憶する有効無効記憶手段と、
前記第１検出手段又は前記第２検出手段が遊技媒体を検出した場合に、前記入賞有無情報と、前記可変入賞有効無効情報とで所定の演算を実行し、演算結果が特定演算結果となった場合に該入賞を有効と決定する一方、演算結果が該特定演算結果とは異なる場合には該入賞を無効と決定する入賞有効無効決定手段と、
を備え、
前記可変入賞有効無効情報は、前記第１有効無効情報と前記第２有効無効情報とにビットが割り当てられたビット列であり、
前記第１有効無効情報と前記第２有効無効情報とに割り当てられた前記可変入賞有効無効情報のビットを、対応する可変入賞手段が無効状態に制御されている場合には無効状態を示す値としての１に設定する一方、有効状態に制御されているときには有効状態を示す値としての０に設定する有効無効情報設定手段を更に備えることを特徴とする遊技機。
【手続補正２】
【補正対象書類名】明細書
【補正対象項目名】０００７
【補正方法】変更
【補正の内容】
【０００７】
（１）上記目的を達成するため、本発明に係る遊技機は、遊技媒体を用いた所定の遊技を行う遊技機（例えば、パチンコ遊技機１）であって、
遊技媒体が入賞しやすい開放状態と、遊技媒体の入賞が不可能又は困難な閉鎖状態とに変化可能な第１可変入賞手段（例えば下特別可変入賞球装置７Ｂなど）と、遊技媒体が入賞しやすい開放状態と、遊技媒体の入賞が不可能又は困難な閉鎖状態とに変化可能な第２可変入賞手段（例えば上特別可変入賞球装置７Ａなど）とを含む複数の可変入賞手段と、
前記第１可変入賞手段を開放する第１開放条件（例えば、下大入賞口を開放する確変開放ラウンドの開始など）が成立したことに基づき、前記第１可変入賞手段を開放状態に制御すると共に、前記第２可変入賞手段を開放する第２開放条件（例えば、上大入賞口を開放する通常開放ラウンドの開始など）が成立したことに基づき、前記第２可変入賞手段を開放状態に制御する開放制御を実行する開放制御手段（例えば、図１７（Ａ）のステップＳ３１７を実行するＣＰＵ１０３など）と、
前記開放制御が実行されている際に、開放状態に制御される可変入賞手段を有効状態に制御すると共に、他の可変入賞手段を無効状態に制御する有効無効制御手段（例えば、図１２のステップＳ３０１Ａで開放する大入賞口に応じたビットのみをオン状態にセットするＣＰＵ１０３など）と、
前記第１可変入賞手段に入賞した遊技媒体を検出する第１検出手段（例えば、下大入賞口スイッチ２３Ｂなど）と、
前記第２可変入賞手段に入賞した遊技媒体を検出する第２検出手段（例えば、上大入賞口スイッチ２３Ａなど）と、
前記第１検出手段が入賞した遊技媒体を検出した場合に検出したことを示す値に設定される第１入賞有無情報（例えば、スイッチオンバッファのＳ０のデータなど）と、前記第２検出手段が入賞した遊技媒体を検出した場合に検出したことを示す値に設定される第２入賞有無情報（例えば、スイッチオンバッファのＳ１のデータなど）とを含む入賞有無情報（例えば、スイッチオンバッファのデータなど）を記憶する入賞有無記憶手段（例えば、ＲＡＭ１０２に設けられたスイッチオンバッファの記憶領域など）と、
前記第１可変入賞手段について有効状態であるか無効状態であるかを示す値に設定される第１有効無効情報（例えば、異常入賞確認テーブルのＢ０のデータなど）と、前記第２可変入賞手段について有効状態であるか無効状態であるかを示す値に設定される第２有効無効情報（例えば、異常入賞確認テーブルのＢ１のデータなど）とを含む可変入賞有効無効情報（例えば、異常入賞確認テーブルなど）を記憶する有効無効記憶手段（例えば、ＲＡＭ１０２に設けられた異常入賞確認テーブルの記憶領域など）と、
前記第１検出手段又は前記第２検出手段が遊技媒体を検出した場合に、前記入賞有無情報と、前記可変入賞有効無効情報とで所定の演算を実行し、演算結果が特定演算結果となった場合に該入賞を有効と決定する一方、演算結果が該特定演算結果とは異なる場合には該入賞を無効と決定する入賞有効無効決定手段（例えば、図２３（Ａ）の入賞報知処理のステップＳ５４〜Ｓ５９を実行するＣＰＵ１０３など）と、
を備え、
前記可変入賞有効無効情報は、前記第１有効無効情報と前記第２有効無効情報とにビットが割り当てられたビット列（図１６参照）であり、
前記第１有効無効情報と前記第２有効無効情報とに割り当てられた前記可変入賞有効無効情報のビットを、対応する可変入賞手段が無効状態に制御されている場合には無効状態を示す値としての１に設定する一方、有効状態に制御されているときには有効状態を示す値としての０に設定する有効無効情報設定手段（例えば、図１２のステップＳ３００Ｂを実行するＣＰＵ１０３など）を更に備えることを特徴とする。
【手続補正３】
【補正対象書類名】明細書
【補正対象項目名】０００８
【補正方法】変更
【補正の内容】
【０００８】
このような構成によれば、所定の処理によって複数の可変入賞手段について入賞が有効か無効かの判定を行うので、少ない処理量でセキュリティを高めることが出来る。また、最低限の記憶容量及び計算量でセキュリティを向上できる。
【手続補正４】
【補正対象書類名】明細書
【補正対象項目名】０００９
【補正方法】削除
【補正の内容】
【手続補正５】
【補正対象書類名】明細書
【補正対象項目名】００１０
【補正方法】削除
【補正の内容】
【手続補正６】
【補正対象書類名】明細書
【補正対象項目名】００１１
【補正方法】変更
【補正の内容】
【００１１】
（２）上記（１）の遊技機において、
前記入賞有無情報は、前記第１入賞有無情報と前記第２入賞有無情報とにビットが割り当てられたビット列（図６（Ｂ）参照）であり、
前記第１入賞有無情報と前記第２入賞有無情報とに割り当てられた前記入賞有無情報のビットを、対応する検出手段が入賞した遊技媒体を検出した場合には検出したことを示す値としての１に設定する一方、検出しない場合には検出していないことを示す値としての０に設定する入賞有無情報設定手段（例えば、下又は上大入賞口スイッチの状態に応じて図６（Ａ）のステップＳ１１でスイッチオンバッファを更新するＣＰＵ１０３など）を更に備える、
としてもよい。
【手続補正７】
【補正対象書類名】明細書
【補正対象項目名】００１３
【補正方法】変更
【補正の内容】
【００１３】
（３）上記（１）の遊技機において、
前記有効無効情報は、前記第１有効無効情報と前記第２有効無効情報とにビットが割り当てられたビット列であり（図１６参照）、
前記入賞有無情報は、前記第１入賞有無情報と前記第２入賞有無情報とにビットが割り当てられたビット列であり（図６（Ｂ）参照）、
前記第１有効無効情報と前記第２有効無効情報とに割り当てられた前記有効無効情報のビットを、対応する可変入賞手段が無効状態に制御されている場合には無効状態を示す値としての１に設定する一方、有効状態に制御されているときには有効状態を示す値としての０に設定する有効無効情報設定手段（例えば、図１２のステップＳ３００Ｂを実行するＣＰＵ１０３など）と、
前記第１入賞有無情報と前記第２入賞有無情報とに割り当てられた前記入賞有無情報のビットを、対応する検出手段が入賞した遊技媒体を検出した場合には検出したことを示す値としての１に設定する一方、検出しない場合には検出していないことを示す値としての０に設定する入賞有無情報設定手段（例えば、下又は上大入賞口スイッチの状態に応じて図６（Ａ）のステップＳ１１でスイッチオンバッファを更新するＣＰＵ１０３など）とを更に備え、
前記有効無効情報において前記第１有効無効情報に対して割り当てられたビットの位置（異常入賞確認テーブルのビットアドレス０）と、前記入賞有無情報において前記第１入賞有無情報に対して割り当てられたビットの位置（スイッチオンバッファのビットアドレス０）は共通すると共に、前記有効無効情報において前記第２有効無効情報に対して割り当てられたビットの位置（異常入賞確認テーブルのビットアドレス１）と、前記入賞有無情報において前記第２入賞有無情報に対して割り当てられたビットの位置（スイッチオンバッファのビットアドレス１）は共通する（図２４参照）、  としてもよい。
【手続補正８】
【補正対象書類名】明細書
【補正対象項目名】００１５
【補正方法】変更
【補正の内容】
【００１５】
（４）上記（１）〜（３）の何れかの遊技機において、
遊技の進行を制御し、ビット長が特定長のデータ（例えば、８ビットのデータ）を一括して演算する、前記入賞有効無効決定手段を含む遊技制御手段（例えば、ＣＰＵ１０３を備える遊技制御用マイクロコンピュータ１００など）を更に備え、
前記有効無効情報は、前記複数の可変入賞手段のそれぞれにビットが割り当てられた特定長未満のビット列（例えば、図１６のＢ０〜Ｂ７のうちＢ０〜Ｂ１の部分など）であり、
前記入賞有無情報は、前記複数の検出手段のそれぞれにビットが割り当てられた前記特定長未満のビット列（例えば、図６（Ｂ）のＳ０〜Ｓ７のうちＳ０〜Ｓ１の部分など）であり、
前記入賞有効無効決定手段は、前記所定の演算を実行するにあたって、前記有効無効情報を含む前記特定長のデータと、前記入賞有無情報を含む前記特定長のデータと、を一括して演算すると共に、該特定長のデータのうち該有効無効情報と該入賞有無情報とに含まれない部分はマスク処理により該所定の演算から除外する（例えば、ＣＰＵ１０３が図２３（Ａ）のステップＳ５６の前にステップＳ５５Ａでマスク処理を実行する部分など）、
としてもよい。
【手続補正９】
【補正対象書類名】明細書
【補正対象項目名】００１７
【補正方法】変更
【補正の内容】
【００１７】
（５）上記（１）〜（４）の何れかの遊技機において、
前記入賞有効無効決定手段は、前記所定の演算として有効無効情報と入賞有無情報との論理積演算を求める（図２４参照）、
としてもよい。